(57)【特許請求の範囲】
【請求項１】
遊技盤を収納する遊技盤収納枠を備え、該遊技盤収納枠の裏面側には、遊技球を払い出し可能な払出機構部と、該払出機構部から払い出された遊技球が流下する払出流路と、該払出流路を流下する遊技球を計数するための電磁誘導式近接センサと、を配設した遊技機において、
前記電磁誘導式近接センサと同じ構造および性能を有する電波検出用センサと、
該電波検出用センサの検出部に検出された状態で保持される被検出ダミー体と、
前記電波検出用センサと前記被検出ダミー体とを収容する収容部材と、
を備えて電波検出ユニットを構成し、
前記電波検出用センサは、被検出ダミー体を検出していることを意味する検出信号と、被検出ダミー体を検出していないことを意味する非検出信号と、を送出可能とし、
該電波検出ユニットは、収容部材内に収容された電波検出用センサが電磁誘導式近接センサの近傍であって、且つ電磁誘導式近接センサと同じ姿勢となるように、遊技盤収納枠と払出流路の間、または遊技盤収納枠と払出機構部の間に配設されることで、電磁誘導式近接センサよりも遊技機の前側に位置し、
前記電波検出用センサから送出された検出信号および非検出信号を受信可能な監視手段を備え、
該監視手段は、非検出信号を受信したことに基づいて、不正電波が電波検出ユニットおよび電磁誘導式近接センサへ照射されたことを判定可能であることを特徴とする遊技機。
【請求項２】
前記電波検出用センサの検出部には、遊技球が通過可能な円形状のスルーホールを開設し、該スルーホール内には遊技球を前記被検出ダミー体として配置し、
前記収容部材は、スルーホールの中心軸上に遊技球の中心が位置する状態で前記遊技球の移動を規制する移動規制部を備えたことを特徴とする請求項１に記載の遊技機。
【請求項３】
前記電波検出用センサには、前記検出信号および非検出信号を送出する信号配線を接続し、
前記収容部材は、前記信号配線を電波検出ユニットの外方へ導出するための配線導出口を開設し、前記電波検出用センサの周囲には空隙部を形成し、該空隙部と配線導出口とを連通したことを特徴とする請求項２に記載の遊技機。
【請求項４】
前記監視手段は、前記払出機構部による遊技球の払出動作中に非検出信号を予め設定された非検出期間以上継続して受信したことに基づいて、不正電波が電磁誘導式近接センサへ照射されたと判定することを特徴とする請求項１から請求項３のいずれかに記載の遊技機。
【発明の詳細な説明】
【技術分野】
【０００１】
本発明は、遊技盤を収納する遊技盤収納枠を備え、該遊技盤収納枠の裏面側には、遊技球を払い出し可能な払出機構部と、該払出機構部から払い出された遊技球が流下する払出流路と、該払出流路を流下する遊技球を計数するための電磁誘導式近接センサと、を配設したパチンコ遊技機等の遊技機に関する。
【背景技術】
【０００２】
従来より、金属製の遊技球の通過による磁束の変化を検出して遊技球を検出する電磁誘導式（磁気式）近接センサを備え、このセンサにより、入賞口への遊技球の入賞の検出や賞球や球貸し時に払い出される遊技球の検出を行うようにした遊技機が知られている。このような遊技機においては、遊技機に向けて電波を照射して不正に遊技球を排出させてしまう不正行為が行われることがあった。具体的には、例えば、払出条件が成立しているときに電磁誘導式近接センサ（排出センサ）に電波を照射すると、遊技球が当該センサの検出部を通過しているにもかかわらず、球が通過していないことを示す信号を出力する状態が不正に形成されてしまう。
【０００３】
このような場合には、払出装置（排出装置）では、規定数の払い出しが行われないことから、リトライ動作を繰り返すことで、次々に遊技球が払い出されてしまうので、結果的に規定数以上の遊技球が不正に払い出されてしまうこととなる。そこで、このような不正を防止するために、外部から照射される電波を遮断するようなシールドを設ける技術が提案されている（例えば、特許文献１または特許文献２参照）。
【先行技術文献】
【特許文献】
【０００４】
【特許文献１】特開平０９−１４９９６０号公報
【特許文献２】実開平０３−０１８８７８号公報
【発明の概要】
【発明が解決しようとする課題】
【０００５】
しかしながら、払出装置の電磁誘導式近接センサに対する不正を防止したい場合には、払出装置の全周をシールドで覆う必要があり、防止構造が大掛かりになってしまう。また、シールドに少しの隙間があるとそこを狙って電波を照射される可能性もあるし、可動部が多くあるパチンコ遊技機において、払出装置の周囲を隙間なくシールドすることは極めて困難である。
【０００６】
さらに、パチンコ遊技機全体をシールドしても、シールドが外部から破壊される可能性もあり、完全に不正行為を防止することは困難である。
【０００７】
そこで、本発明は、上記の事情に鑑みてなされたものであり、その目的は、大掛かりな構造を設けずに、遊技球計数用の電磁誘導式近接センサに対する不正を検知することができる遊技機を提供しようとするものである。
【課題を解決するための手段】
【０００８】
本発明は、上記目的を達成するために提案されたものであり、請求項１に記載のものは、遊技盤を収納する遊技盤収納枠を備え、該遊技盤収納枠の裏面側には、遊技球を払い出し可能な払出機構部と、該払出機構部から払い出された遊技球が流下する払出流路と、該払出流路を流下する遊技球を計数するための電磁誘導式近接センサと、を配設した遊技機において、
前記電磁誘導式近接センサと同じ構造および性能を有する電波検出用センサと、
該電波検出用センサの検出部に検出された状態で保持される被検出ダミー体と、
前記電波検出用センサと前記被検出ダミー体とを収容する収容部材と、
を備えて電波検出ユニットを構成し、
前記電波検出用センサは、被検出ダミー体を検出していることを意味する検出信号と、被検出ダミー体を検出していないことを意味する非検出信号と、を送出可能とし、
該電波検出ユニットは、収容部材内に収容された電波検出用センサが電磁誘導式近接センサの近傍であって、且つ電磁誘導式近接センサと同じ姿勢となるように、遊技盤収納枠と払出流路の間、または遊技盤収納枠と払出機構部の間に配設されることで、電磁誘導式近接センサよりも遊技機の前側に位置し、
前記電波検出用センサから送出された検出信号および非検出信号を受信可能な監視手段を備え、
該監視手段は、非検出信号を受信したことに基づいて、不正電波が電波検出ユニットおよび電磁誘導式近接センサへ照射されたことを判定可能であることを特徴とする遊技機である。
【０００９】
請求項２に記載のものは、前記電波検出用センサの検出部には、遊技球が通過可能な円形状のスルーホールを開設し、該スルーホール内には遊技球を前記被検出ダミー体として配置し、
前記収容部材は、スルーホールの中心軸上に遊技球の中心が位置する状態で前記遊技球の移動を規制する移動規制部を備えたことを特徴とする請求項１に記載の遊技機である。
【００１０】
請求項３に記載のものは、前記電波検出用センサには、前記検出信号および非検出信号を送出する信号配線を接続し、
前記収容部材は、前記信号配線を電波検出ユニットの外方へ導出するための配線導出口を開設し、前記電波検出用センサの周囲には空隙部を形成し、該空隙部と配線導出口とを連通したことを特徴とする請求項２に記載の遊技機である。
【００１２】
請求項４に記載のものは、前記監視手段は、前記払出機構部による遊技球の払出動作中に非検出信号を予め設定された非検出期間以上継続して受信したことに基づいて、不正電波が電磁誘導式近接センサへ照射されたと判定することを特徴とする請求項１から請求項３のいずれかに記載の遊技機である。
【発明の効果】
【００１３】
本発明によれば、電波検出用センサの検出部に不正電波を電波検出ユニットの外方から不正に照射されて受けた場合には、検出信号の送出を停止して非検出信号を送出するものとし、この非検出信号の送出を監視するので、不正電波が電磁誘導式近接センサに照射されるという不正行為を、大掛かりな構造を必要とせずに検出することができる。また、電波検出ユニットが遊技機の表側や裏側に露出する不都合を避けることができ、電波検出用センサを細工したり損傷させたりする不正行為を抑制することができる。
【図面の簡単な説明】
【００１８】
【図１】パチンコ遊技機の斜視図である。
【図２】（ａ）はパチンコ遊技機の背面図、（ｂ）は球払出ユニットの背面図である。
【図３】遊技盤の正面図である。
【図４】遊技盤収納枠の説明図である。
【図５】払出装置の説明図であり、（ａ）は前面枠に装着された状態における払出装置および電波検出ユニットの断面図、（ｂ）は払出装置の斜視図である。
【図６】電波検出ユニットの説明図であり、（ａ）は後方から見た斜視図、（ｂ）は前方から見た斜視図、（ｃ）は断面図である
【図７】電波検出ユニットの分解斜視図である。
【図８】制御系統の説明に供するブロック構成図である。
【図９】メイン処理のフローチャートの前半部である。
【図１０】メイン処理のフローチャートの後半部である。
【図１１】タイマ割込み処理のフローチャートである。
【図１２】不正監視処理のフローチャートである。
【図１３】電波検出用センサの送出状態を示す説明図であり、（ａ）は断線発生信号を送出する状態の説明図、（ｂ）は短絡発生信号を送出する状態の説明図である。
【図１４】出力状態判定回路を備えた制御系統の一部を示すブロック構成図である。
【図１５】断線／短絡判定を含む不正監視処理のフローチャートである。
【発明を実施するための形態】
【００１９】
以下、代表的な遊技機であるパチンコ遊技機を例に挙げて本発明の実施の形態を図面に基づき説明する。
パチンコ遊技機１は、図１に示すように、機枠（外枠）２の前面に、大きな矩形状開口を有する略額縁状の前面枠（内枠）３を開閉可能に軸着し、この前面枠３のベースとなる前面枠本体４に遊技盤収納枠５（図４参照）を形成して矩形状の遊技盤６（図３参照）を収納し、前面枠３の前側には、一側（図１中、左側）が軸着された透明部材保持枠８を開閉可能に設け、該透明部材保持枠８に透視可能な透明部材９を保持し、透明部材９を通して遊技盤６の前面をパチンコ遊技機１の前方から透視できるように構成している。さらに、透明部材保持枠８の下方には、一側（図１中、左側）が前面枠３に軸着された上皿ユニット１１を開閉（回動）可能に設け、該上皿ユニット１１の下方には、下皿ユニット１２を上皿ユニット１１に対して左右方向にずれた位置に配置している。そして、下皿ユニット１２の一側部（図１中、右側部）には、発射装置（図示せず）を操作するための発射操作ユニット（発射操作ハンドル）１３を備え、他側部（図１中、左側部）にはスピーカー１４を備えている。さらに、透明部材保持枠８の下部には球貸スイッチ１５と返却スイッチ１６とを設け、カードユニット１７（図８参照）にプリペイドカード等の記憶媒体を挿入し、球貸スイッチ１５を操作すると、遊技球が上皿ユニット１１に排出されて貸し出され、返却スイッチ１６を操作すると、記憶媒体がカードユニット１７から返却されるように構成されている。
【００２０】
また、図２（ａ）に示すように、前面枠３の裏面側、詳しくは遊技盤収納枠５の裏面側には大きな枠状の裏機構盤１８を備え、該裏機構盤１８の中央部分に略矩形状の機構盤開口部１９を開設し、遊技盤６の裏側から突出した部分を機構盤開口部１９内に配置して裏機構盤１８に干渉しないように構成されている。さらに、裏機構盤１８のうち機構盤開口部１９よりも上方の位置には、横長な球貯留ユニット（球貯留タンク）２１を備え、該球貯留ユニット２１内に遊技機島設備内の補給装置（図示せず）から補給された遊技球を貯留するとともに、この貯留した遊技球を球貯留ユニット２１から排出可能としている。そして、裏機構盤１８のうち機構盤開口部１９の側方（図２（ａ）中、右側方）には、球貯留ユニット２１から排出された遊技球を払い出すための球払出ユニット２２を配置している。また、機構盤開口部１９の下方には、球払出ユニット２２あるいは遊技盤６から流下してきた遊技球を下方へ誘導する回収誘導路（図示せず）を配置し、該回収誘導路の下流端をパチンコ遊技機１の外方へ向けて開放し、回収誘導路に誘導された遊技球をパチンコ遊技機１の外部、具体的には遊技機島設備内の球回収樋（図示せず）へ案内可能としている。さらに、該回収誘導路よりも後方の位置には、払出制御装置２５、発射制御装置２６、電源装置２７、および中継基板２８を配置している。なお、球払出ユニット２２については、後で詳細に説明する。
【００２１】
遊技盤６は、図３に示すように、当該遊技盤６のベースとなる遊技盤本体３１の表面に区画部材３２を止着して遊技球が流下可能な遊技領域３３を区画形成し、該遊技領域３３の中央部には包囲枠体（センターケース）３７を装着し、該包囲枠体３７の後方には、複数の識別情報を変動表示して変動表示ゲームを行う変動表示装置３８を配置している。また、遊技領域３３のうち包囲枠体３７の外方には、遊技領域３３を流下する遊技球が入賞可能な入賞装置を備えている。具体的には、包囲枠体３７の下方には、遊技球の入賞により変動表示ゲームの始動条件を成立させる始動入賞口４０を配置し、包囲枠体３７の左下方および右下方には、発光により各種の装飾表示を行うサイドランプ４１を配置し、該サイドランプ４１の前面側に一般入賞口４２を備え、始動入賞口４０の下方には大入賞口４３を配置している。そして、始動入賞口４０、大入賞口４３や包囲枠体３７等の取付部分を除いた遊技領域３３内に障害釘（図示せず）を植設し、遊技領域３３の下端には、入賞せずに流下した遊技球を回収するアウト口４５を設けている。さらに、遊技盤本体３１の裏面のうち変動表示装置３８の背面部には表示制御装置４７（図８参照）を装着し、該表示制御装置４７をカバー体４８で後方から被覆し、該カバー体４８の下方には遊技制御装置４９を配置している（図２（ａ）参照）。
【００２２】
次に、球払出ユニット２２について説明する。
球払出ユニット２２は、図２（ｂ）に示すように、該球払出ユニット２２の基部となる縦長なユニットベース５２を備え、該ユニットベース５２の上部には、パチンコ遊技機１を該パチンコ遊技機１の外部へ電気的に接続する外部情報端子５３を装着し、ユニットベース５２の後部の上寄りには流下切換装置５４を配置し、該流下切換装置５４の下方、詳しくはユニットベース５２の後部のうち上下方向の中間部分には払出収納部５６を前方の遊技盤収納枠５側へ向けて凹ませて形成し、該払出収納部５６内に払出装置５７を収納している。さらに、ユニットベース５２の下部には、上皿ユニット１１の導出口１１ａ（図１参照）に連通する払出流下路５８（本発明における払出流路の一部）を備え、球払出ユニット２２内の遊技球、詳しくは球払出ユニット２２から払い出された遊技球を賞球あるいは貸球として払出流下路５８へ流下させて導出口１１ａへ導出し、上皿ユニット１１へ供給できるように構成されている。そして、図２（ａ）に示すように、縦長なユニットカバー５９を流下切換装置５４の下部、払出装置５７、および払出流下路５８を後方から覆う状態で装着して、流下切換装置５４と払出装置５７との連結箇所、および払出装置５７と払出流下路５８との連結箇所を保護している。
【００２３】
流下切換装置５４は、球貯留ユニット２１から流下してきた遊技球を賞球あるいは貸球としてパチンコ遊技機１の前面側、具体的には上皿ユニット１１あるいは下皿ユニット１２へ流下させるか、またはパチンコ遊技機１の外部（遊技機島設備内の球回収樋）へ流下させるかを切り換えるための装置である。そして、図２（ｂ）に示すように、流下切換装置５４の上部には、球貯留ユニット２１に連通する受入流路を球貯留ユニット２１側から下り傾斜した姿勢で配置し、該受入流路の傾斜下端を払出路と球抜通路とに分岐している（何れも図示せず）。そして、分岐箇所には切換弁（図示せず）を設け、該切換弁を切り換えて遊技球を払出路へ流下させるか球抜通路へ流下させるかを選択可能としている。また、払出路を蛇行した状態で下方へ延設し、払出路の下端開口に後述する払出装置５７の内部を連通可能としている。なお、受入流路の上流端から払出路の中流部までにおいては、遊技球を前後２列に並べて流下させ、払出路の中流部から下流端までにおいては、遊技球を左右２列に並べて流下させるように構成されている。
【００２４】
払出装置５７は、流下切換装置５４の払出路の下端に連通し、遊技球の払出動作を行う装置であり、流下切換装置５４の払出路から流下する遊技球（賞球あるいは貸球）を計数しながら払出流下路５８へ排出する機能を備えている。具体的には、図５（ａ）に示すように、当該払出装置５７の内部に縦向きの球払出通路６２（本発明における払出流路の一部）を形成し、該球払出通路６２の途中には、左右に並んだ２つのスプロケット６３（本発明における払出機構部の一部）の端部を臨ませ、球払出通路６２のうちスプロケット６３よりも下方に位置する下流部には、該球払出通路６２の下流部を流下する遊技球を非接触で検出して計数可能な電磁誘導式近接センサ（払出球検出センサ）６４を設けている。
【００２５】
また、図５（ｂ）に示すように、払出装置５７の側部には、払出装置５７、詳しくはスプロケット６３を回転駆動する払出モータ６６（本発明における払出機構部の一部）を配置し、該払出モータ６６の出力軸をスプロケット６３の回転軸６３ａに接続している。そして、スプロケット６３の外周部には複数（本実施形態では３つ）の球保持溝６３ｂを形成し、該球保持溝６３ｂ内に遊技球が１つずつ嵌合した状態でスプロケット６３を回転すると、遊技球がスプロケット６３により球払出通路６２の下流部へ払い出されて流下し、電磁誘導式近接センサ６４が所定数の遊技球が流下したことを検出すると、スプロケット６３の回転が停止される。なお、２つのスプロケット６３は、互いに球保持溝６３ｂの１個分だけ位相がずれた状態で回転軸６３ａに固定され、遊技球１個分だけ位相をずらして回転するように構成されている。したがって、２つのスプロケット６３は、一体に回転し、交互に遊技球を下方へ排出できるように構成されている。
【００２６】
なお、電磁誘導式近接センサ６４は、払出装置５７の前後方向（パチンコ遊技機１の前後方向）に延在する厚い板ガム状のセンサであり、当該電磁誘導式近接センサ６４の後部寄り（ユニットカバー５９側に位置する部分）には、遊技球を検出する検出部６４ａを設け、該検出部６４ａには、遊技球が通過可能な円形状のスルーホール６４ｂを上下方向に貫通して球払出通路６２の下流部へ連通し、該スルーホール６４ｂに遊技球を通過させると、検出部６４ａに内蔵されたコイル（図示せず）の周辺の磁束を変化させ、この磁束変化に起因する電圧変化に基づいて遊技球を検出できるように構成されている。また、電磁誘導式近接センサ６４の前部寄り（遊技盤収納枠５側に位置する部分）には回路基板（図示せず）を内蔵し、電磁誘導式近接センサ６４の前端（遊技盤収納枠５側に位置する前端）には信号配線（図示せず）の一端を接続し、信号配線の他端を払出制御装置２５へ接続している。そして、検出部６４ａが遊技球の通過を検出したことを意味する通過信号と、通過していないことを意味する非通過信号とを回路基板から信号配線を通じて送出可能としている。
【００２７】
そして、前面枠３は、図４および図５（ａ）に示すように、遊技盤収納枠５と球払出ユニット２２（スプロケット６３、払出モータ６６、球払出通路６２を含む払出装置５７や、払出流下路５８）との間に電波検出ユニット７０を備え、電磁誘導式近接センサ６４に向けてパチンコ遊技機１の外部から不正に照射される不正電波を電波検出ユニット７０により検出可能としている。電波検出ユニット７０は、図６および図７に示すように、電磁誘導式近接センサ６４と同じ構造および性能を有する電磁誘導式の電波検出用センサ（近接センサ）７１と、該電波検出用センサ７１の検出部７１ａに検出された状態で保持される被検出ダミー体７２としての遊技球と、電波検出用センサ７１と被検出ダミー体７２とを収容する収容部材７３と、を備えて構成されている。
【００２８】
電波検出用センサ７１は、厚い板ガム状に形成されたセンサであり、当該電波検出用センサ７１の長手方向の一端寄り（図６（ｃ）中、右寄り）には、被検出ダミー体７２を検出する検出部７１ａを設け、該検出部７１ａには円形状のスルーホール７１ｂを被検出ダミー体（遊技球）７２が通過可能な程度の開口径、具体的には遊技球の直径よりも大きな開口径で貫通している。また、電波検出用センサ７１の長手方向の他端寄り（図６（ｃ）中、左寄り）には回路基板（図示せず）を内蔵し、電波検出用センサ７１の他端（図６（ｃ）中、左端）には信号配線７５の一端を接続している。そして、図８に示すように、信号配線７５の他端を払出制御装置２５へ接続し、検出部７１ａで被検出ダミー体７２を検出していることを意味する検出信号と、被検出ダミー体７２を検出していないことを意味する非検出信号とを、回路基板から信号配線７５を通じて払出制御装置２５へ送出可能としている。
【００２９】
収容部材（収容ケース）７３は、図６および図７に示すように、上側に位置する第１ケース７６と、下側に位置する第２ケース７７とを重合して、電波検出用センサ７１よりもひと回り大きな長尺箱状に構成されており、該収容部材７３の長手方向の一端（図６（ｃ）中、左端）には、電波検出ユニット７０を遊技盤収納枠５の裏面側に止着するための止着フランジ７８を上下両側へ突設している。また、当該収容部材７３の内部には、電波検出用センサ７１と被検出ダミー体７２とを収容可能な矩形状の収容空間部８０を収容部材７３の長手方向に沿って延在させ、該収容空間部８０の上下寸法ｔａを電波検出用センサ７１のうちスルーホール７１ｂの貫通方向に沿った板厚寸法ｔｓよりも広く設定し（図６（ｃ）参照）、収容空間部８０内に電波検出用センサ７１をスルーホール７１ｂが収容部材７３の上下方向に沿って貫通した姿勢、且つスルーホール７１ｂが収容部材７３の他端寄り（図６（ｃ）中、右寄り）に位置する姿勢で収容し、スルーホール７１ｂ内に被検出ダミー体（遊技球）７２を配置している。さらに、収容空間部８０の上側の各隅部（天井側の四隅）および下側の各隅部（底側の四隅）にはスペーサー８１を突設し、該スペーサー８１により電波検出用センサ７１の隅部を支持して電波検出用センサ７１の上面と収容空間部８０の上側区画壁との間を離間させるとともに、電波検出用センサ７１の下面と収容空間部８０の下側区画壁との間を離間させ、電波検出用センサ７１の周囲（詳しくは電波検出用センサ７１の上方および下方）に空隙部８２を形成している（図６（ｃ）参照）。
【００３０】
また、図６（ｃ）および図７に示すように、収容空間部８０の上側区画壁のうちスルーホール７１ｂに臨む箇所、および下側区画壁のうちスルーホール７１ｂに臨む箇所には、被検出ダミー体（遊技球）７２の表面に嵌合する移動規制部８４を凹ませて備えている。そして、該移動規制部８４により、被検出ダミー体７２の中心Ｐがスルーホール７１ｂの中心軸Ｌ上に位置する状態で被検出ダミー体７２を保持し、被検出ダミー体７２の移動、詳しくは、被検出ダミー体７２が移動して被検出ダミー体７２の中心Ｐがスルーホール７１ｂの中心軸Ｌ上から外れることを規制している。さらに、収容部材７３の止着フランジ７８側（長手方向の一端）には、信号配線７５を電波検出ユニット７０の外方へ導出するための配線導出口８５を開設し、該配線導出口８５と収容空間部８０内に形成された空隙部８２とを連通している。
【００３１】
なお、収容部材７３の長手方向の一端には一端側係合機構８７（第１ケース７６に設けられた一端側係合受部８７ａ、および第２ケース７７に設けられた一端側係合爪８７ｂ）を備え（図６（ｂ）参照）、収容部材７３の長手方向の他端には他端側係合機構８８（第１ケース７６に設けられた他端側係合爪８８ａ、および第２ケース７７に設けられた他端側係合受部８８ｂ）を備えている（図６（ａ）参照）。そして、一端側係合受部８７ａに一端側係合爪８７ｂを係合するとともに、他端側係合受部８８ｂに他端側係合爪８８ａを係合して、第１ケース７６と第２ケース７７とが分離することを規制している。
【００３２】
そして、図５（ａ）に示すように、遊技盤収納枠５の裏面側に設けられたユニットブラケット８９に止着フランジ７８を止着して、電波検出ユニット７０を遊技盤収納枠５へ取り付けると、電波検出ユニット７０は、電波検出用センサ７１の信号配線７５を当該電波検出ユニット７０の前側に配置するとともに、電波検出用センサ７１のスルーホール７１ｂを当該電波検出ユニット７０の後側に配置して、電波検出用センサ７１を電磁誘導式近接センサ６４の近傍（詳しくは電磁誘導式近接センサ６４の前方）であって、且つ電磁誘導式近接センサ６４と同じ姿勢にする。
【００３３】
さらに、パチンコ遊技機１は、図８に示すように、遊技制御装置４９を中心とする制御系統を備え、遊技制御装置４９により遊技進行の制御を行うように構成されている。遊技制御装置４９は、遊技制御を司るマイクロプロセッサ、遊技制御のためのプログラム等を記憶しているＲＯＭ、および遊技制御時にワークエリアとして利用されるＲＡＭ、入力インターフェース、出力インターフェース、検査装置接続端子等から構成されている。そして、各種検出装置（特図始動センサ９１、普図始動センサ９２、カウントセンサ９３、入賞口センサ９４、オーバーフロースイッチ９５、球切れスイッチ９６、枠開放スイッチ９７）からの信号を受信して、変動表示ゲーム（普図変動表示ゲーム、特図変動表示ゲーム）の実行、特別遊技状態（大当たり状態）の発生、遊技者に対する報知等、種々の処理を行う。さらに、サブ制御装置となる各種制御装置（表示制御装置４７、払出制御装置２５）の他、普図表示器１００、特図表示器１０１、始動入賞口４０の普通電動役物（開閉部材）４０ａを開閉するための普電ソレノイド１０２、大入賞口４３を開閉するための大入賞口ソレノイド１０３、外部情報端子５３等に指令信号を送信して、遊技を統括的に制御する。
【００３４】
また、払出制御装置２５は、本発明における監視手段として機能する制御装置であり、払出制御を司るマイクロプロセッサ、払出制御のためのプログラム等を記憶しているＲＯＭ、および払出制御時にワークエリアとして利用されるＲＡＭ、入力インターフェース、出力インターフェース、検査装置接続端子等から構成されている。そして、遊技制御装置４９には接続されていない各種検出装置（電波検出用センサ７１、電磁誘導式近接センサ６４、エラー解除スイッチ１０６、税率設定スイッチ１０７、貸出料金設定スイッチ１０８）、および遊技制御装置４９にも接続されている検出装置（オーバーフロースイッチ９５、球切れスイッチ９６）からの信号を受信して、球貸や賞球排出などの遊技球の払出に関する処理を行う。さらに、払出モータ６６、発射制御装置２６、エラーナンバー表示器１０９、税率表示器１１０、貸出料金表示器１１１に指令信号を送信したり、払出制御に関する処理情報等を遊技制御装置４９へ送信したりする。
【００３５】
このような構成の電波検出ユニット７０や払出制御装置２５をパチンコ遊技機１に備え、電源を投入すると、常態においては、電波検出用センサ７１の検出部７１ａで被検出ダミー体７２を検出し、被検出ダミー体７２を検出していることを意味する検出信号を送出し、この検出信号を払出制御装置２５で受信する。このとき、被検出ダミー体７２は、移動規制部８４により移動を規制されてスルーホール７１ｂの中心軸Ｌ上に当該被検出ダミー体（遊技球）７２の中心Ｐを位置させているので、被検出ダミー体７２を検出部７１ａで確実に検出できる位置で保持することができる。また、スルーホール７１ｂの内部で被検出ダミー体７２が動き回って検出部７１ａに衝突する不都合、ひいては電波検出用センサ７１の検出部７１ａが破損する不都合を阻止することができる。さらに、電波検出ユニット７０の空隙部８２と配線導出口８５とを連通しているので、電波検出用センサ７１から発生する熱を配線導出口８５へ通して電波検出ユニット７０の外部へ放出することができ、電波検出用センサ７１が熱により故障する不都合を防止することができる。また、電波検出用センサ７１が連続して検出信号を送出している状態、言い換えると連続して発熱している虞がある状態であっても、電波検出用センサ７１の使用環境温度が許容温度よりも上昇してしまうことを阻止することができ、電波検出用センサ７１の検出動作の安定性を確保することができる。
【００３６】
そして、遊技を実行しているとき、あるいは球貸操作を行うときに、不正行為者が払出装置５７における遊技球の計数をごまかそうとして、球払出ユニット２２の電磁誘導式近接センサ６４へ或る特定の周波数で電波（不正電波）を不正に照射すると、遊技球が電磁誘導式近接センサ６４のスルーホール６４ｂを通過したとしても、検出部６４ａの磁束変化に起因する電圧変化が抑制されてしまい、遊技球の計数が阻止されることになる。仮にこの状態で払出処理を続行すると、払出制御装置２５は、規定された払出数の遊技球が計数されるまで払出装置５７を駆動させてしまい、不正行為者が規定数よりも多い遊技球を不正に得ることになってしまう。
【００３７】
しかしながら、電波検出ユニット７０は、収容部材７３内に収容された電波検出用センサ７１を電磁誘導式近接センサ６４の近傍であって、且つ電磁誘導式近接センサ６４と同じ姿勢で配設しているので、不正電波が電波検出用センサ７１の検出部７１ａにも照射される。すると、電波検出用センサ７１のスルーホール７１ｂ内に被検出ダミー体７２を配置されているにも拘らず、検出部７１ａの磁束変化に起因する電圧変化が抑制され、これにより検出信号の送出を停止して非検出信号（被検出ダミー体７２を検出していないことを意味する非検出信号）を払出制御装置２５へ送出する。そして、払出制御装置２５は、非検出信号を受信したことに基づいて、不正電波が電波検出ユニット７０および電磁誘導式近接センサ６４へ照射されたと判定し、払出装置５７における遊技球の払出動作を停止する等の処理を行う。したがって、不正電波が電磁誘導式近接センサ６４に照射されるという不正行為を、大掛かりな構造を必要とせずに検出することができ、さらに、払出制御装置２５で行う監視により確実に発見することができる。また、遊技盤収納枠５と球払出ユニット２２との間に電波検出ユニット７０を備えているので、電波検出ユニット７０がパチンコ遊技機１の表側や裏側に露出する不都合を避けることができ、電波検出用センサ７１を細工したり損傷させたりする不正行為を抑制することができる。
【００３８】
さらに、電波検出用センサ７１（電波検出ユニット７０）が電磁誘導式近接センサ６４よりも遊技盤５側、言い換えると遊技者側に位置することになり、パチンコ遊技機１の前方で不正行為者が操作する不正電波の発生源に、電波検出用センサ７１を電波誘導式近接センサ６４よりも近づけることができる。したがって、電波検出用センサ７１が電波誘導式近接センサ６４よりも不正電波を受け易くなり、電波検出用センサ７１による不正電波の検出感度を向上させることができる。
【００３９】
次に、上記の電波検出動作を実現するための制御を、図９〜図１２のフローチャートに基づいて具体的に説明する。まず、図９，１０のフローチャートに基づき、パチンコ遊技機１に電源が投入された場合、または停電から復旧した場合に払出制御装置２５が実行を開始するメイン処理について説明する。メイン処理においては、まず、所定時間周期（例えば、１ミリ秒周期）で行われるタイマ割込みの禁止の設定（Ｓ１）、各割込みモードの設定（Ｓ２）、払出制御装置２５のＲＡＭへのアクセス許可（Ｓ３）、払出制御装置２５のＣＰＵ周辺デバイスの初期設定（Ｓ４）、スタックポインタの設定（Ｓ５）を行う。
【００４０】
さらに、電源装置２７に設けられたＲＡＭクリアスイッチ１１３（図８参照）がＯＮになって払出制御装置２５のＲＡＭを初期化する操作が行われたか否かを判定し（Ｓ６）、ＲＡＭクリアスイッチ１１３がＯＮでないと判定された場合には、停電からの復旧であることを示す停電復旧情報がＲＡＭに設定されているか否かを判定することによって、停電復旧時の電源投入であるか否かを判定する（Ｓ７）。また、停電復旧時の電源投入であると判定された場合には、ＲＡＭに記憶されているデータが壊れている否かを判定するために、チェックサムが正常であるか否か調べる（Ｓ８，Ｓ９）。具体的には、停電があった際にＲＡＭに記憶されていたデータのチェックサムと、ＲＡＭに現在記憶されているデータのチェックサムとが一致するか否かを判定する。そして、チェックサムが正常であると判定された場合、すなわちＲＡＭに記憶されているデータが正常であると判定された場合には、停電復旧処理を実行してＲＡＭに停電復旧時の初期値を設定する（Ｓ１０）。
【００４１】
一方、ステップＳ６にてＲＡＭクリアスイッチ１１３がＯＮであると判定された場合、またはステップＳ７にて停電復旧時の電源投入でないと判定された場合、またはステップＳ９にてチェックサムが異常であると判断された場合には、使用する全てのＲＡＭに記憶されているデータをクリアした後に、ＲＡＭへ電源投入時の初期値、貸出料金設定スイッチ１０８によって設定された遊技球１個当たりの貸出金額を設定して、払出制御装置２５のＲＡＭの初期化を実行する（Ｓ１１，Ｓ１２，Ｓ１３）。
【００４２】
ＲＡＭの初期化、またはＲＡＭに停電復旧時の初期値を設定したならば、ＰＲＤＹ信号をカードユニット１７に出力して、遊技球の貸し出しを行うことができる状態になったことを報知し（Ｓ１４）、時間を計測するためのタイマであるＣＴＣ（Ｃｏｕｎｔｅｒ  Ｔｉｍｅｒ  Ｃｉｒｃｕｉｔ）を設定し（Ｓ１５）、ステップＳ１で禁止されたタイマ割込みを許可する（Ｓ１６）。
【００４３】
タイマ割込み許可を設定したならば、カードユニット１７が払出制御装置２５に接続されているか否かを判定し（Ｓ１７）、接続されていると判定した場合には、発射制御装置２６を遊技球の発射を許可する状態（発射許可状態）に設定し（Ｓ１８）、接続されていないと判定した場合には、発射制御装置２６を遊技球の発射を許可しない状態（発射不許可状態）に設定する（Ｓ１９）。発射制御装置２６を発射許可状態または発射不許可状態のいずれかに設定したならば、払出制御モードを取得し（Ｓ２０）、取得された払出制御モード（モード０，モード１，モード２）によって処理を分岐させる（Ｓ２１）。モード０の場合には、遊技球が過剰に払い出されていないか否かを監視する払出過剰エラー監視処理を実行し（Ｓ２２）、実際に遊技球を払い出させる処理を開始させるために、払出装置制御開始判定処理を実行する（Ｓ２３）。モード１の場合には、賞球として払い出す遊技球の数を設定する賞球制御処理を実行し（Ｓ２４）、払出モータ６６を制御する払出制御処理を実行して、遊技球を賞球として払い出す（Ｓ２５）。モード２の場合には、貸球として払い出す遊技球の数を設定する球貸し制御処理を実行し（Ｓ２６）、払出モータ６６を制御する払出制御処理を実行して、遊技球を貸球として払い出す（Ｓ２５）。
【００４４】
各モードに対応する処理を実行したならば、遊技球の払出動作時に発生したエラーの報知の編集を行うエラー報知編集処理（Ｓ２７）、遊技球の払出動作時において不正電波が電磁誘導式近接センサ６４および電磁検出ユニットに照射されたか否かを監視する不正監視処理（Ｓ２８）を実行する。なお、不正監視処理については、後で詳細に説明する。さらに、払出制御装置２５のＲＡＭの停電検査領域の内容を取得し（Ｓ２９）、この内容に基づいて停電が発生しているか否かを判定する（Ｓ３０）。そして、停電が発生していないと判定された場合には、ステップＳ１７の処理に戻り、停電が発生していると判定された場合には、停電時処理（割り込み禁止の設定（Ｓ３１）、全出力ポートのＯＦＦ（Ｓ３２）、停電復旧情報のＲＡＭへの保存（Ｓ３３）、ＲＡＭへの電源供給遮断前におけるＲＡＭ内データのチェックサム算出および保存（Ｓ３４）、ＲＡＭへのアクセスを禁止（Ｓ３５））を実行し、パチンコ遊技機１の電源が切れるまで待機する。
【００４５】
また、払出制御装置２５は、メイン処理においてタイマ割込みを許可している場合には、所定時間周期毎にタイマ割込処理を実行する。タイマ割込み処理について、図１１に示すフローチャートを用いて説明すると、まず、払出制御装置２５のＣＰＵのＡＦレジスタを退避させ（Ｓ４１）、停電が発生した際に出力される強制割込信号である外部割込みのみを許可し（Ｓ４２）、タイマ割込処理の終了を宣言した後、割込みを許可する（Ｓ４３，Ｓ４４）。
【００４６】
そして、払出制御装置２５のＣＰＵのＢＣレジスタ、ＤＥレジスタ及びＨＬレジスタを退避させ（Ｓ４５）、出力処理を実行する（Ｓ４６）。なお、出力処理においては、払出モータ６６、発射制御装置２６、エラーナンバー表示器１０９等に駆動信号を出力する。出力処理を実行したならば、入力処理を実行する（Ｓ４７）。入力処理においては、電磁誘導式近接センサ６４、電波検出用センサ７１、球切れスイッチ９６、オーバーフロースイッチ９５から入力される信号や、カードユニット１７から入力される信号等にチャタリング除去等の処理をし、入力情報を確定する。
【００４７】
入力処理を実行した後には、タイマ更新処理（Ｓ４８）、要求監視処理（Ｓ４９）、入力監視処理（Ｓ５０）、払出ユニット出力編集処理（Ｓ５１）、外部情報出力編集処理（Ｓ５２）を実行する。タイマ更新処理においては各種タイマを更新し、要求監視処理においては、払出制御装置２５が受信した各種コマンドや信号を解析し、カードユニット１７からＢＲＤＹ信号が出力されているか否かを監視する。また、入力監視処理においては、カードユニット１７からの信号に基づいて、カードユニット１７と払出制御装置２５とが接続されているか否かを監視し、電磁誘導式近接センサ６４から入力される信号に基づいて、払い出されるべき数分の遊技球が払い出されているか否かを監視する。さらに、払出ユニット出力編集処理においては、払出モータ６６を制御するために出力情報を編集し、外部情報出力編集処理においては、パチンコ遊技機１に関する情報を情報収集端末及び遊技場内部管理装置等（いずれも図示せず）へ出力する。そして、外部情報出力編集処理まで実行したならば、ＢＣレジスタ、ＤＥレジスタ及びＨＬレジスタを復帰させ（Ｓ５３）、外部割込み及びタイマ割込みを有効化し（Ｓ５４）、ＡＦレジスタを復帰させ（Ｓ５５）、タイマ割込処理を終了してメイン処理に戻る。
【００４８】
次に、不正監視処理について、図１２に示すフローチャートに基づき説明する。
不正監視処理では、まず、払出装置５７が払出モータ６６を駆動して遊技球を払い出す動作を行っているか否かを判定し（Ｓ６１）、払出動作中であれば、電波検出用センサ７１が被検出ダミー体７２を検出しているか否かを判定する（Ｓ６２）。そして、被検出ダミー体７２を検出していない（言い換えると、電波検出用センサ７１が非検出信号を送出している）場合には、不正用カウンタに１を加算し（Ｓ６３）、加算後の不正用カウンタが予め設定された不正判定値（例えば、「５」）以上になっているか否かを判定する（Ｓ６４）。そして、不正判定値以上であれば（言い換えると、非検出信号を不正用カウンタが不正判定値となる時間（非検出期間）以上継続して受信したならば）、電波検出用センサ７１および電磁誘導式近接センサ６４に不正電波が照射されていると判定して不正フラグをセットし（Ｓ６５）、不正監視処理を終了する。不正判定値未満であれば、不正フラグをセットせずに不正監視処理を終了する。
【００４９】
また、ステップＳ６１において払出動作中ではない場合、またはステップＳ６２において電波検出用センサ７１が被検出ダミー体７２を検出している（言い換えると、電波検出用センサ７１が検出信号を送出している）場合には、不正用カウンタをクリアして０に設定するとともに（Ｓ６６）、不正フラグをリセットし（Ｓ６７）、不正監視処理を終了する。
【００５０】
不正監視処理の終了後にメイン処理の実行に戻ると、メイン処理内で行われる払出制御処理において不正フラグをチェックする。そして、不正フラグがセットされていれば、電波検出用センサ７１および電磁誘導式近接センサ６４に不正電波が照射されていることを意味するので、払出動作を停止する制御を実行する。これにより、不正行為によって規定数以上の遊技球が払い出されることを阻止することができる。なお、払出動作においては、予め定められた単位払出数が払い出される払出単位動作を設定しておき、この払出単位動作を複数回実行することで多数の遊技球を払い出すように構成されている。そして、払出動作を停止する制御が実行された場合には、この停止制御が実行された後に行われる予定であった払出単位動作を取り止め、停止制御が実行された時点で実行中の払出単位動作については、途中で停止せずに単位払出数を全て払い出す。
【００５１】
また、不正監視処理においては、非検出信号を予め設定された非検出期間以上継続して受信したことに基づいて、不正電波が電波検出ユニット７０および電磁誘導式近接センサ６４へ照射されたことを判定するので、払い出された遊技球などによって発生する内的ノイズやパチンコ遊技機１の外部からの外的ノイズに基づいて、監視手段である払出制御装置２５が非検出信号と同じ信号を受信したとしても、不正電波が照射されたと誤判定してしまうことを防止することができる。
【００５２】
ところで、上記実施形態においては、払出制御装置２５は、電波検出用センサ７１から検出信号および非検出信号のみ受信可能としたが、本発明はこれに限定されない。例えば、図１３および図１４に示す第２実施形態においては、払出制御装置２５が電波検出用センサ７１の異常、詳しくは電波検出用センサ７１の信号配線７５が断線または短絡したことを意味する信号を受信できるように構成されている。詳しく説明すると、電波検出用センサ７１は、図１３（ａ）および（ｂ）に示すように、検出信号の電圧を非検出信号の電圧よりも高く設定し、さらには電波検出用センサ７１を駆動するために印加される電源電圧（作動電圧）よりも低く設定している。具体的には、検出信号の電圧を１１．５Ｖとし、非検出信号の電圧を６Ｖとし、電源電圧を１２Ｖとしている。
【００５３】
また、図１４に示すように、払出制御装置２５と電波検出用センサ７１（詳しくは電波検出用センサ７１の信号配線７５）との間には出力状態判定回路１１５を介在させ、該出力状態判定回路１１５が電波検出用センサ７１側から受信（入力）する信号の電圧に基づいて電波検出用センサ７１の状態を判定するように構成されている。具体的には、出力状態判定回路１１５は、電波検出用センサ７１側から１１．５Ｖの信号を受信した場合には、この信号を検出信号と判定し、電波検出用センサ７１から検出信号が送出されている旨を払出制御装置２５へ送信する。また、電波検出用センサ７１側から６Ｖの信号を受信した場合には、この信号を非検出信号と判定し、電波検出用センサ７１から非検出信号が送出されている旨を払出制御装置２５へ送信する。さらに、電波検出用センサ７１側から１２Ｖ、言い換えると電波検出用センサ７１の電源電圧と同じ電圧の信号を受信した場合には、信号配線７５または電波検出用センサ７１の回路基板が断線しているものと判定し（図１３（ａ）参照）、断線が発生した旨を払出制御装置２５へ送信する。そして、電波検出用センサ７１側から０Ｖの信号を受信、言い換えるといずれの信号も受信していない場合には、信号配線７５または電波検出用センサ７１の回路基板が短絡しているものと判定し（図１３（ｂ）参照）、短絡が発生した旨を払出制御装置２５へ送信する。なお、出力状態判定回路１１５は、払出制御装置２５と電波検出用センサ７１とを中継する中継基板に実装されることが望ましいが、払出制御装置２５を構成する払出制御基板に実装してもよい（いずれも図示せず）。
【００５４】
さらに、図１４に示すように、出力状態判定回路１１５の入力側には、電波検出用センサ７１と同じ構造および性能を備えた電磁誘導式近接センサ６４をも接続し、出力状態判定回路１１５が電磁誘導式近接センサ６４側から受信（入力）する信号の電圧に基づいて電磁誘導式近接センサ６４の状態を判定するように構成されている。具体的には、電磁誘導式近接センサ６４は、遊技球が通過したことを意味する通過信号の電圧を、遊技球が通過してないことを意味する非通過信号の電圧よりも高く設定し、さらには電磁誘導式近接センサ６４を駆動するために印加される電源電圧（作動電圧）よりも低く設定している。具体的には、通過信号の電圧を１１．５Ｖとし、非通過信号の電圧を６Ｖとし、電源電圧を１２Ｖとしている。また、出力状態判定回路１１５は、電磁誘導式近接センサ６４側から１１．５Ｖの信号を受信した場合には、この信号を通過信号と判定し、電磁誘導式近接センサ６４がスプロケット６３から払い出された遊技球の通過を検出した旨を払出制御装置２５へ送信する。また、電磁誘導式近接センサ６４側から６Ｖの信号を受信した場合には、この信号を非通過信号と判定し、電磁誘導式近接センサ６４が遊技球の通過を検出していない旨を払出制御装置２５へ送信する。さらに、電磁誘導式近接センサ６４側から１２Ｖ、言い換えると電磁誘導式近接センサ６４の電源電圧と同じ電圧の信号を受信した場合には、電磁誘導式近接センサ６４の信号配線または電磁誘導式近接センサ６４の回路基板が断線しているものと判定し、断線が発生した旨を払出制御装置２５へ送信する。そして、電磁誘導式近接センサ６４側から０Ｖの信号を受信、言い換えるといずれの信号も受信していない場合には、電磁誘導式近接センサ６４の信号配線または電磁誘導式近接センサ６４の回路基板が短絡しているものと判定し、短絡が発生した旨を払出制御装置２５へ送信する。
【００５５】
このような構成を備えた第２実施形態において、不正監視処理では、図１５に示すように、まず、払出装置５７が出力状態判定回路１１５から電波検出用センサ７１に関する断線または短絡が発生した旨を受信しているか否かを判定し（Ｓ７１）、断線または短絡が発生している場合には断線／短絡フラグをセットし（Ｓ７２）、断線または短絡が発生していない場合には断線／短絡フラグをリセットする（Ｓ７３）。断線／短絡フラグのセットまたはリセットを行ったならば、払出装置５７が払出モータ６６を駆動して遊技球を払い出す動作を行っているか否かを判定し（Ｓ７４）、払出動作中であれば、電波検出用センサ７１が被検出ダミー体７２を検出しているか否かを判定する（Ｓ７５）。そして、被検出ダミー体７２を検出していない（言い換えると、電波検出用センサ７１が非検出信号を送出している）場合には、不正用カウンタに１を加算し（Ｓ７６）、加算後の不正用カウンタが予め設定された不正判定値（例えば、「５」）以上になっているか否かを判定する（Ｓ７７）。そして、不正判定値以上であれば、言い換えると、非検出信号を不正用カウンタが不正判定値となる時間（非検出期間）以上継続して受信したならば、電波検出用センサ７１および電磁誘導式近接センサ６４に不正電波が照射されていると判定して不正フラグをセットし（Ｓ７８）、不正監視処理を終了する。不正判定値未満であれば、不正フラグをセットせずに不正監視処理を終了する。
【００５６】
また、ステップＳ７４において払出動作中ではない場合、またはステップＳ７５において電波検出用センサ７１が被検出ダミー体７２を検出している（言い換えると、電波検出用センサ７１が検出信号を送出している）場合には、不正用カウンタをクリアして０に設定するとともに（Ｓ７９）、不正フラグをリセットし（Ｓ８０）、不正監視処理を終了する。
【００５７】
不正監視処理の終了後にメイン処理の実行に戻ると、メイン処理内で行われる払出制御処理において断線／短絡フラグおよび不正フラグをチェックする。そして、不正フラグがセットされていれば、電波検出用センサ７１および電磁誘導式近接センサ６４に不正電波が照射されていることを意味し、断線／短絡フラグがセットされていれば、不正電波の検出を実行できないことを意味するので、不正フラグまたは断線／短絡フラグの少なくともいずれかがセットされていれば、払出動作を停止する制御を実行する。これにより、不正行為によって規定数以上の遊技球が払い出されることを阻止することができる。
【００５８】
ところで、上記実施形態においては、スプロケット６３、払出モータ６６、電磁誘導式近接センサ６４を含んで払出装置５７を構成したが、本発明はこれに限定されない。例えば、スプロケット６３と払出モータ６６とで払出機構部を構成し、該払出機構部とは別個に電磁誘導式近接センサ６４を配置して払出流路に臨ませてもよい。そして、払出機構部と遊技盤収納枠５との間、または払出流路と遊技盤収納枠５との間に電波検出ユニット７０を配置して、電波検出用センサ７１を電磁誘導式近接センサの近傍に位置させ、且つ電磁誘導式近接センサと同じ姿勢にしてもよい。このように電波検出ユニット７０を配置して、電波検出用センサ７１（電波検出ユニット７０）が電磁誘導式近接センサ６４よりも遊技盤５側、言い換えると遊技者側に位置すれば、パチンコ遊技機１の前方で不正行為者が操作する不正電波の発生源に、電波検出用センサ７１を電波誘導式近接センサ６４よりも近づけることができる。したがって、電波検出用センサ７１が電波誘導式近接センサ６４よりも不正電波を受け易くなり、電波検出用センサ７１による不正電波の検出感度を向上させることができる。
【００５９】
また、上記実施形態においては、払出制御装置２５を本発明における監視手段とし、払出制御装置２５が電波検出用センサ７１からの信号を受信して不正電波が照射されたか否かを監視しているが、本発明はこれに限定されない。例えば、監視手段として遊技制御装置４９を採用して電波検出用センサ７１を接続し、遊技制御装置４９が電波検出用センサ７１からの信号を受信して不正電波が照射されたか否かを監視するように構成してもよい。さらに、上記実施形態における不正監視処理では、払出装置５７において遊技球の払出動作を実行中である場合に、電波検出用センサ７１から非検出信号を受信しているか否か（言い換えると、不正電波が照射されているか否か）を判定したが、本発明はこれに限定されない。例えば、遊技球の払出動作が実行中であるか否かに拘らず、電波検出用センサ７１から非検出信号を受信しているか否かを判定してもよい。そして、上記実施形態では、電磁誘導式近接センサ６４および電波検出用センサ７１に遊技球が通過可能なスルーホールを開設したが、本発明はこれに限定されない。要は、検出部により非接触で遊技球または被検出ダミー体を検出可能な電磁誘導式のセンサであればよく、例えば、スルーホールを開設していない所謂フラットタイプの近接センサを用いてもよい。
【００６０】
また、上記実施形態では、代表的な遊技機であるパチンコ遊技機を例にして説明したが、本発明はこれに限らず、遊技盤を収納する遊技盤収納枠を備え、該遊技盤収納枠の裏面側には、遊技球を払い出し可能な払出機構部と、該払出機構部から払い出された遊技球が流下する払出流路と、該払出流路を流下する遊技球を計数するための電磁誘導式近接センサと、を配設した遊技機であればどのような遊技機でもよい。例えば、封入球式パチンコ機、アレンジボール式遊技機、雀球式遊技機等の遊技機であってもよい。
【００６１】
なお、前記した実施の形態は全ての点で例示であって制限的なものではないと考えられるべきである。本発明は、上記した説明に限らず特許請求の範囲によって示され、特許請求の範囲と均等の意味及び範囲内での全ての変更が含まれるものである。
【符号の説明】
【００６２】
１  パチンコ遊技機
３  前面枠
５  遊技盤収納枠
６  遊技盤
８  透明部材保持枠
１１  上皿ユニット
１２  下皿ユニット
２２  球払出ユニット
２５  払出制御装置
４９  遊技制御装置
５２  ユニットベース
５６  払出収納部
５７  払出装置
５８  払出流下路
６２  球払出通路
６３  スプロケット
６４  電磁誘導式近接センサ
６４ａ  検出部
６４ｂ  スルーホール
６６  払出モータ
７０  電波検出ユニット
７１  電波検出用センサ
７１ａ  検出部
７１ｂ  スルーホール
７２  被検出ダミー体
７３  収容部材
７５  信号配線
７６  第１ケース
７７  第２ケース
８０  収容空間部
８１  スペーサー
８２  空隙部
８４  移動規制部
８５  配線導出口
８７  一端側係合機構
８８  他端側係合機構
８９  ユニットブラケット
１１５  出力状態判定回路
【図１】
0005427481.tif 000002
【図２】
0005427481.tif 000003
【図３】
0005427481.tif 000004
【図４】
0005427481.tif 000005
【図５】
0005427481.tif 000006
【図６】
0005427481.tif 000007
【図７】
0005427481.tif 000008
【図８】
0005427481.tif 000009
【図９】
0005427481.tif 000010
【図１０】
0005427481.tif 000011
【図１１】
0005427481.tif 000012
【図１２】
0005427481.tif 000013
【図１３】
0005427481.tif 000014
【図１４】
0005427481.tif 000015
【図１５】
0005427481.tif 000016